(57)【要約】【課題】シークレット画面などのようなユーザが一瞬だけ閲覧を希望するコンテンツを、ユーザが簡単な操作で表示することができる表示装置を提供する。【解決手段】コンテンツ表示制御部５５は、タッチパネル５３を通じてユーザから一時閲覧コンテンツ表示指示が入力された場合に、一時閲覧コンテンツを液晶ディスプレイ５２に表示する。コンテンツ表示制御部５５は、一時閲覧コンテンツを表示後所定時間が経過したとき、またはタッチパネル５３を通じてユーザによる非表示操作が入力されたときに、一時閲覧コンテンツを非表示にする。コンテンツ表示制御部５５は、タッチパネル５３を通じてユーザによる表示延長操作が入力されたときに、所定時間を延長する。【選択図】図１
2015070303.tif 000002
【特許請求の範囲】
【請求項１】
表示部と、
前記表示部に対するユーザのタッチ位置を検出するタッチパネルと、
ユーザによって一時的な閲覧用に設定された一時閲覧コンテンツを記憶する記憶部と、
前記タッチパネルを通じてユーザから一時閲覧コンテンツ表示指示が入力された場合に、前記一時閲覧コンテンツを前記表示部に表示するコンテンツ表示制御部とを備え、
前記コンテンツ表示制御部は、前記一時閲覧コンテンツを表示後所定時間が経過したとき、または前記タッチパネルを通じてユーザによる非表示操作が入力されたときに、前記一時閲覧コンテンツを非表示にし、
前記コンテンツ表示制御部は、前記タッチパネルを通じてユーザによる表示延長操作が入力されたときに、前記所定時間を延長する、表示装置。
【請求項２】
前記コンテンツ表示制御部は、前記一時閲覧コンテンツ表示指示が入力された場合に、現在の動作状態に応じた一時閲覧コンテンツを表示する、請求項１記載の表示装置。
【請求項３】
前記一時閲覧コンテンツおよび前記一時閲覧コンテンツ表示指示は、複数個存在し、
前記コンテンツ表示制御部は、前記入力された一時閲覧コンテンツ表示指示に応じた一時閲覧コンテンツを表示する、請求項１記載の表示装置。
【請求項４】
前記一時閲覧コンテンツは複数個存在し、各一時閲覧コンテンツは、優先順位を有し、
前記コンテンツ表示制御部は、前記一時閲覧コンテンツ表示指示が入力された場合に、優先順位が最大の一時閲覧コンテンツを表示する、請求項１記載の表示装置。
【請求項５】
前記コンテンツ表示制御部は、前記タッチパネルを通じてユーザから一時閲覧コンテンツリストの表示指示が入力された場合には、一時閲覧コンテンツのリストを表示し、
前記コンテンツ表示制御部は、前記タッチパネルを通じてユーザから前記一時閲覧コンテンツリストの中の１つの一時閲覧コンテンツが選択された場合には、前記選択された一時閲覧コンテンツを表示する、請求項４記載の表示装置。
【請求項６】
前記コンテンツ表示制御部は、前記一時閲覧コンテンツとして未読メールのタイトルおよび送信者を表示し、
前記コンテンツ表示制御部は、前記タッチパネルを通じてユーザから内容の表示指示が入力された場合には、前記未読メールの内容を表示する、請求項１記載の表示装置。
【請求項７】
前記コンテンツ表示制御部は、前記一時閲覧コンテンツとして不在着信の電話番号を表示し、
前記タッチパネルを通じてユーザから送信指示が入力された場合には、前記電話番号を発呼する通信部を備える、請求項１記載の表示装置。
【請求項８】
前記コンテンツ表示制御部は、前記一時閲覧コンテンツとして自己のプロフィール情報を表示し、
前記タッチパネルを通じてユーザから送信指示が入力された場合には、前記自己のプロフィール情報を赤外線通信する通信部を備える、請求項１記載の表示装置。
【請求項９】
前記一時閲覧コンテンツがプライバシーコンテンツに指定された場合に、前記プライバシーコンテンツを他のアプリケーションからは表示されないように制御するプライバシー制御部を備えた、請求項１記載の表示装置。
【請求項１０】
前記一時閲覧コンテンツ表示指示は、長押しであり、
前記コンテンツ表示制御部は、前記長押しを検出すると、前記検出した箇所の下方の領域に前記一時閲覧コンテンツを表示する、請求項１記載の表示装置。
【請求項１１】
前記一時閲覧コンテンツ表示指示は、複数の指で擦る操作である、請求項１記載の表示装置。
【発明の詳細な説明】
【技術分野】
【０００１】
本発明は、表示装置に関する。
【背景技術】
【０００２】
従来から、第３者に知られたくない情報の表示を制限する装置が知られている。たとえば、特許文献１に記載の携帯通信端末は、ユーザの操作に応じて情報の入力を行う操作手段と、操作手段の操作によって入力されたユーザ入力情報を、シークレット情報と非シークレット情報とに識別して記憶する情報記憶手段と、表示画面の画面表示を行う画面表示手段と、画面表示手段に表示画面を表示させる表示制御手段と、操作手段の操作によってシークレットモードへの切り替えが指示されたことに応じて、情報記憶手段に記憶されているシークレット情報を表示するシークレット画面の画面表示手段への表示を許容するシークレットモードに設定するシークレットモード設定手段とを備える。表示制御手段は、シークレットモード設定手段によりシークレットモードに設定されているときには、シークレット画面を画面表示手段に表示する制御を行い、シークレットモードに設定されていないときには、情報記憶手段に記憶されている非シークレット情報を表示する画面であって、シークレット画面と同種の情報を表示する非シークレット画面を表示する制御を行なう。
【先行技術文献】
【特許文献】
【０００３】
【特許文献１】特開２００５−３４８０３８号公報
【発明の概要】
【発明が解決しようとする課題】
【０００４】
しかしながら、特許文献１に記載の携帯情報端末では、ユーザが特定のシークレット画面を見たい場合には、シークレットモードに設定しシークレット用待ち受け画面が表示された後、ユーザの操作によって他のシークレット画面への画面遷移が行なわれる。そのため、所望のシークレット画面をユーザが手軽に簡単な操作で表示することができないという問題がある。
【０００５】
よって、シークレット画面などのようなユーザが一瞬だけ閲覧を希望するコンテンツを、ユーザが簡単な操作で表示することができる表示装置が望まれている。
【課題を解決するための手段】
【０００６】
本発明の一態様による表示装置は、表示部と、表示部に対するユーザのタッチ位置を検出するタッチパネルと、ユーザによって一時的な閲覧用に設定された一時閲覧コンテンツを記憶する記憶部と、タッチパネルを通じてユーザから一時閲覧コンテンツ 表示指示が入力された場合に、一時閲覧コンテンツを表示部に表示するコンテンツ表示制御部とを備える。コンテンツ表示制御部は、一時閲覧コンテンツを表示後所定時間が経過したとき、またはタッチパネルを通じてユーザによる非表示操作が入力されたときに、一時閲覧コンテンツを非表示にする。コンテンツ表示制御部は、タッチパネルを通じてユーザによる表示延長操作が入力されたときに、所定時間を延長する。
【発明の効果】
【０００７】
本発明の一態様によれば、シークレット画面などのようなユーザが一瞬だけ閲覧を希望する一時閲覧コンテンツを、ユーザは簡単な操作で表示させることができる。 
【図面の簡単な説明】
【０００８】
【図１】本発明の実施形態の表示装置の構成を表わす図である。
【図２】第１の実施形態の一時閲覧コンテンツ情報の例を表わす図である。
【図３】一時閲覧コンテンツについての処理を指示するジェスチャの登録手順を表わすフローチャートである。
【図４】一時閲覧コンテンツの設定手順を表わすフローチャートである。
【図５】一時閲覧コンテンツの表示例を表わす図である。
【図６】一時閲覧コンテンツの表示例を表わす図である。
【図７】一時閲覧コンテンツの表示例を表わす図である。
【図８】一時閲覧コンテンツの表示例を表わす図である。
【図９】一時閲覧コンテンツの表示例を表わす図である。
【図１０】一時閲覧コンテンツの表示例を表わす図である。
【図１１】一時閲覧コンテンツの表示制御手順を表わすフローチャートである。
【図１２】一時閲覧コンテンツの表示制御手順を表わすフローチャートである。
【図１３】図１１および図１２の表示制御手順において、表示される画面およびユーザの操作の例を説明するための図である。
【図１４】図１１および図１２の表示制御手順において、表示される画面およびユーザの操作の例を説明するための図である。
【図１５】第２の実施形態における、一時閲覧コンテンツを表示させるジェスチャと、一時閲覧コンテンツの表示箇所とを説明するための図である。
【図１６】第３の実施形態の一時閲覧コンテンツ情報の例を表わす図である。
【発明を実施するための形態】
【０００９】
以下、本発明の実施の形態について図面を用いて説明する。
［第１の実施形態］
図１は、本発明の実施形態の表示装置の構成を表わす図である。
【００１０】
この表示装置５１は、携帯電話、タブレット端末などである。表示装置５１は、表示部としての液晶ディスプレイ５２と、タッチパネル５３と、プライバシー設定部５４と、コンテンツ表示制御部５５と、ジェスチャ記憶部５６と、一時閲覧コンテンツ情報記憶部５７と、コンテンツ記憶部５８と、一時閲覧設定部５９と、無線通信部６０と、赤外線通信部６１とを備える。
【００１１】
コンテンツ記憶部５８は、アプリケーションで使用するコンテンツ（文書ファイル、画像ファイルなど）を記憶する。記憶されているコンテンツには、ユーザによって一時的な閲覧用に設定された一時閲覧コンテンツが含まれる。
【００１２】
プライバシー設定部５４は、一時閲覧コンテンツをプライバシーコンテンツに設定するようにユーザからの指示があった場合には、その一時閲覧コンテンツをプライバシーコンテンツに設定する。プライバシーコンテンツに設定された一時閲覧コンテンツは、一時閲覧としてしか表示されることがない。たとえば、写真などの画像コンテンツがプライバシーコンテンツに設定されると、プライバシー設定部５４は、そのコンテンツを写真表示用のアプリケーションが利用するディレクトリから移動することによって、写真表示用のアプリケーションがそのコンテンツを表示することができなくする。
【００１３】
ジェスチャ記憶部５６は、コンテンツ一般についての操作を指示するジェスチャを記憶する。また、一時閲覧設定部５９で設定された一時閲覧コンテンツについての処理を指示するジェスチャを記憶する。
【００１４】
一時閲覧コンテンツ情報記憶部５７は、一時閲覧コンテンツ情報を記憶する。図２は、第１の実施形態の一時閲覧コンテンツ情報の例を表わす図である。
【００１５】
図２に示すように、一時閲覧コンテンツ情報は、一時閲覧コンテンツを特定するための特定情報を含む。特定情報には、一時閲覧コンテンツの種類（写真、契約書、未読メールの送信者およびタイトル、不在着信番号、ＳＮＳ（Social Networking Service）最新コメント、自己プロフィール情報など）と、必要に応じてファイル名（ａａａ．ｉｍｇやｂｂｂ．ｐｄｆなど）を含む。
【００１６】
また、一時閲覧コンテンツ情報は、範囲についての情報を含む。通常、特定情報で特定される全部が一時閲覧コンテンツであるが、ユーザが範囲を指定した場合には、指定された範囲が一時閲覧コンテンツとして設定される。
【００１７】
また、一時閲覧コンテンツ情報は、その一時閲覧コンテンツが表示可能な動作状態を定めた情報を含む。動作状態とは、たとえば、表示装置５１が、待ち受け状態、ロック状態、または特定のアプリケーションの実行状態である。なお、一時閲覧コンテンツが表示可能な動作状態は、１つだけ設定されていてもよいし、複数設定されていてもよい。
【００１８】
また、一時閲覧コンテンツ情報は、その一時閲覧コンテンツがプライバシーコンテンツに設定されているかについての情報を含む。
【００１９】
また、一時閲覧コンテンツ情報は、優先順位についての情報を含む。この例では、優先順位として、高、中、低が設定される。優先順位が高い一時閲覧コンテンツが、その他の一時閲覧コンテンツよりも優先して表示される。
【００２０】
一時閲覧設定部５９は、ユーザの指定に従って、一時閲覧コンテンツの設定を行ない、一時閲覧コンテンツ情報およびジェスチャ情報を作成する。
【００２１】
赤外線通信部６１は、赤外線を用いて他の装置とプロフィール情報などを送信および受信する。
【００２２】
無線通信部６０は、電子メールを送信および受信し、電話を発信および着信する。
液晶ディスプレイ５２は、一時閲覧コンテンツなどのコンテンツを表示する。
【００２３】
タッチパネル５３は、ユーザからの操作入力を受け付ける。
コンテンツ表示制御部５５は、一般のコンテンツ、および一時閲覧コンテンツの表示を制御する。
【００２４】
図３は、一時閲覧コンテンツについての処理を指示するジェスチャの登録手順を表わすフローチャートである。
【００２５】
図３を参照して、ユーザからタッチパネル５３を通じて、一時閲覧コンテンツを表示させるジェスチャを指定する入力がある場合には（ステップＳ３０１でＹＥＳ）、一時閲覧設定部５９は、入力されたジェスチャを一時閲覧コンテンツを表示させるジェスチャとしてジェスチャ記憶部５６に書き込む（ステップＳ３０２）。
【００２６】
ユーザからタッチパネル５３を通じて、一時閲覧コンテンツを非表示にさせるジェスチャを指定する入力がある場合には（ステップＳ３０３でＹＥＳ）、一時閲覧設定部５９は、入力されたジェスチャを一時閲覧コンテンツを非表示にさせるジェスチャとしてジェスチャ記憶部５６に書き込む（ステップＳ３０４）。
【００２７】
ユーザからタッチパネル５３を通じて、一時閲覧コンテンツリストを表示にさせるジェスチャを指定する入力がある場合には（ステップＳ３０５でＹＥＳ）、一時閲覧設定部５９は、入力されたジェスチャを一時閲覧コンテンツリストを表示にさせるジェスチャとしてジェスチャ記憶部５６に書き込む（ステップＳ３０６）。
【００２８】
図４は、一時閲覧コンテンツの設定手順を表わすフローチャートである。
図４を参照して、ステップＳ２０２において、ユーザからタッチパネル５３を通じて、表示されているコンテンツ、または候補リスト中の特定の表示内容を一時閲覧コンテンツに設定する指示が入力された場合には、処理がステップＳ２０３に進む。
【００２９】
コンテンツとして写真が表示されており、その写真を一時閲覧コンテンツとして設定する指示が入力されると、その写真が一時閲覧コンテンツとなる。一時閲覧コンテンツ情報の中の特定情報は、一時閲覧コンテンツの種類として写真、一時閲覧コンテンツのファイル名として写真のファイル名を含む。
【００３０】
コンテンツとして契約書が表示されており、その契約書を一時閲覧コンテンツとして設定する指示が入力されると、その契約書が一時閲覧コンテンツとなる。一時閲覧コンテンツ情報の中の特定情報は、一時閲覧コンテンツの種類として契約書、一時閲覧コンテンツのファイル名として契約書のファイル名を含む。
【００３１】
候補リストの中の未読メールの送信者およびタイトルが一時閲覧コンテンツとして選択する指示が入力されると、未読メールの送信者とタイトルが一時閲覧コンテンツとして設定される。一時閲覧コンテンツ情報の中の特定情報は、一時閲覧コンテンツの種類として未読メールの送信者およびタイトルを含む。
【００３２】
候補リストの中の不在着信番号が一時閲覧コンテンツとして選択する指示が入力されると、不在着信番号が一時閲覧コンテンツとして設定される。一時閲覧コンテンツ情報の中の特定情報は、一時閲覧コンテンツの種類として不在着信番号を含む。
【００３３】
候補リストの中のＳＮＳ最新コメントが一時閲覧コンテンツとして選択する指示が入力されると、ＳＮＳ最新コメントが一時閲覧コンテンツとして設定される。一時閲覧コンテンツ情報の中の特定情報は、一時閲覧コンテンツの種類としてＳＮＳ最新コメントを含む。
【００３４】
候補リストの中の自己プロフィール情報が一時閲覧コンテンツとして選択する指示が入力されると、自己プロフィール情報が一時閲覧コンテンツとして設定される。一時閲覧コンテンツ情報の中の特定情報は、一時閲覧コンテンツの種類として自己プロフィール情報を含む。
【００３５】
ステップＳ２０３において、ユーザからタッチパネル５３を通じて、表示されているコンテンツの中で、一時閲覧コンテンツに設定する範囲を指定する入力がなされた場合には、処理がステップＳ２０４に進む、そのような入力がない場合には、処理がステップＳ２０５に進む。なお、一時閲覧コンテンツに設定する範囲を指定しないという入力がなされた場合に、処理がステップＳ２０５に進んでもよい。
【００３６】
ステップＳ２０４において、一時閲覧設定部５９は、表示されているコンテンツの中で指定された範囲だけ一時閲覧コンテンツに設定する。一方、ステップＳ２０５において、一時閲覧設定部５９は、表示されているコンテンツの全部を一時閲覧コンテンツに設定する。このようにして、写真などの画像コンテンツ、または文書コンテンツの一部または全部が一時閲覧コンテンツに設定される。
【００３７】
ステップＳ２０６において、ユーザからタッチパネル５３を通じて、設定された一時閲覧コンテンツを表示することが可能な動作状態を指定する入力がなされた場合には、処理がステップＳ２０７に進む。
【００３８】
ステップＳ２０７において、一時閲覧設定部５９は、入力された動作状態において、設定された一時閲覧コンテンツが表示可能となるように設定する。
【００３９】
ステップＳ２０８において、ユーザからタッチパネル５３を通じて、設定した一時閲覧コンテンツの優先順位を指定する入力がなされた場合には、処理がステップＳ２０９に進む。
【００４０】
ステップＳ２０９において、一時閲覧設定部５９は、設定された一時閲覧コンテンツの優先順位を設定する。
【００４１】
上記のように設定された内容は、一時閲覧コンテンツ情報として記憶される。
図５〜図１０は、一時閲覧コンテンツの表示例を表わす図である。
【００４２】
図５の例では、一時閲覧コンテンツとして不在着信の電話番号が表示される。また、コンテンツ表示制御部５５は、一時閲覧コンテンツが不在着信の電話番号の場合には、発呼ボタン１を表示する。ユーザがタッチパネル５３を通じて、発呼ボタン１をタップすると、無線通信部６０が、不在着信の電話番号を発呼する。
【００４３】
図６の例では、一時閲覧コンテンツとして未読メールの送信者とタイトルが表示される。また、コンテンツ表示制御部５５は、一時閲覧コンテンツが未読メールの送信者およびタイトルの場合には、表示ボタン２を表示する。ユーザがタッチパネル５３を通じて、表示ボタン２をタップすると、コンテンツ表示制御部５５は、未読メールの内容を表示する。
【００４４】
図７の例では、一時閲覧コンテンツとして自己プロフィールが表示される。また、コンテンツ表示制御部５５は、一時閲覧コンテンツが自己プロフィールの場合には、送信ボタン３を表示する。ユーザがタッチパネル５３を通じて、送信ボタン３をタップすると、赤外線通信部６１は、自己のプロフィールを赤外線送信する。
【００４５】
図８の例では、一時閲覧コンテンツとして契約書の一部が表示される。契約書は、ＰＤＦファイルで作成されている。通常の場合に、契約書の１頁を表示してから、その頁の中の必要な部分だけを拡大する必要があり、必要な部分以外の箇所も他人に見られてしまうことがある。図８の例では、必要な部分が予め設定されており、一時閲覧エリアにその一時閲覧コンテンツの設定された範囲が拡大表示される。したがって、必要な部分以外の箇所が他人に見られてしまうことがない。
【００４６】
図９の例では、一時閲覧コンテンツとしてＳＮＳの最新コメントが表示される。
図１０の例では、一時閲覧コンテンツとして恋人の顔画像が表示される。これは、たとえば、恋人が友人たちと写っている写真の中の恋人の部分だけの範囲を設定しておくことによって、ふとしたときにチラッと見れるようにしたものである。
【００４７】
図１１および図１２は、一時閲覧コンテンツの表示制御手順を表わすフローチャートである。図１３および図１４は、図１１および図１２に示す表示制御手順において表示される画面およびユーザの操作の例を説明するための図である。図１３および図１４において、白の矢印は、ユーザのジェスチャを表わす。黒の矢印は、画面が遷移中であることを表わし、実際に液晶ディスプレイ５２に表示されてもよいし、表示されてなくてもよい。
【００４８】
図１１〜図１４を参照して、一時閲覧コンテンツが表示可能な動作状態にある場合において（ステップＳ１０１でＹＥＳ）、ジェスチャ記憶部５６に記憶されている一時閲覧コンテンツを表示させるジェスチャと同じジェスチャが、ユーザからタッチパネル５３を通じて入力された場合には（ステップＳ１０２でＹＥＳ）、コンテンツ表示制御部５５は、一時閲覧コンテンツ情報を参照して、その動作状態において表示可能な一時閲覧コンテンツの中で、優先度が「高」に設定されている１つの一時閲覧コンテンツを表示する。たとえば、図１３のＡ１で示すように、三本指で右スワイプする（三本指で画面を左から右へなぞる）ジェスチャによって、液晶ディスプレイ５２の表示画面が図１３のＡ１からＡ２を経てＡ３に遷移する。図１３のＡ３では、一時閲覧エリア５内に一時閲覧コンテンツが表示される（ステップＳ１０３）。
【００４９】
次に、ジェスチャ記憶部５６に記憶されている一時閲覧コンテンツリストを表示させるジェスチャと同じジェスチャが、ユーザからタッチパネル５３を通じて入力された場合には（ステップＳ１０４でＹＥＳ）、コンテンツ表示制御部５５は、一時閲覧コンテンツリストを表示する。たとえば、図１３のＡ４で示すように、一時閲覧エリア５の外で三本指で左スワイプする（三本指で画面を右から左へなぞる）ジェスチャによって、液晶ディスプレイ５２の表示画面が図１３のＡ４からＡ５を経てＡ６に遷移する。図１３のＡ５、Ａ６では、一時閲覧コンテンツリスト６が表示されている。この一時閲覧コンテンツリストは、コンテンツ表示制御部５５によって一時閲覧コンテンツ情報に基づいて作成される（ステップＳ１０５）。
【００５０】
その後、ステップＳ１１７において、ユーザからタッチパネル５３を通じて、一時閲覧コンテンツリストの中から一時閲覧コンテンツを選択した場合には、処理がステップＳ１１８に進む。
【００５１】
ステップＳ１１８において、コンテンツ表示制御部５５は、一時閲覧コンテンツ情報に含まれる選択された一時閲覧コンテンツについての情報を参照して、選択された一時閲覧コンテンツを表示する。
【００５２】
また、ジェスチャ記憶部５６に記憶されている一時閲覧コンテンツリストを非表示にさせるジェスチャと同じジェスチャが、ユーザからタッチパネル５３を通じて入力された場合には（ステップＳ１０６でＹＥＳ）、コンテンツ表示制御部５５は、一時閲覧コンテンツを非表示にし、処理がステップＳ１０２に戻る。たとえば、図１３のＡ７で示すように、一時閲覧エリア５内で三本指で左スワイプする（三本指で画面を右から左へなぞる）ジェスチャによって、液晶ディスプレイ５２の表示画面が図１３のＡ７からＡ８を経てＡ９に遷移し、一時閲覧コンテンツが非表示になる（ステップＳ１０７）。
【００５３】
また、ジェスチャ記憶部５６に記憶されているコンテンツ一般を拡大または縮小表示にさせるジェスチャと同じジェスチャが、ユーザからタッチパネル５３を通じて入力された場合には（ステップＳ１０８でＹＥＳ）、コンテンツ表示制御部５５は、一時閲覧コンテンツを拡大または縮小表示し、処理がステップＳ１０４に戻る。たとえば、図１３のＡ１２で示すように、一時閲覧エリア５内で二本指でピンチアウトする（二本指で画面を広げる）ジェスチャによって、液晶ディスプレイ５２の表示画面が図１３のＡ１２からＡ１３に遷移する。図１３のＡ１３では、一時閲覧エリア５が拡大し、それに応じて一時閲覧コンテンツも拡大表示される。また、図１３のＡ１０で示すように、一時閲覧エリア５内で二本指でピンチインする（二本指で画面をつまむ）ジェスチャによって、液晶ディスプレイ５２の表示画面が図１３のＡ１０からＡ１１に遷移する。図１３のＡ１１では、一時閲覧エリア５が縮小し、それに応じて一時閲覧コンテンツも縮小表示される（ステップＳ１０９）。
【００５４】
また、表示されている一時閲覧コンテンツをプライバシーコンテンツに設定する指示が、ユーザからタッチパネル５３を通じて入力された場合には（ステップＳ１１０でＹＥＳ）、プライバシー設定部５４は、一時閲覧コンテンツをプライバシーコンテンツに設定し、処理がステップＳ１０４に戻る。たとえば、液晶ディスプレイ５２の表示画面が図１３のＡ３のときの一時閲覧エリア５を拡大した図が図１４とする。図１４の一時閲覧エリア５内には、プライバシー設定ボタン１２が表示されている。このプライバシー設定ボタン１２を一本指でタップする（一本指でたたく）ジェスチャによって、一時閲覧エリア５内に表示されている一時閲覧コンテンツがプライバシーコンテンツに設定される（ステップＳ１１１）。なお、すでにプライバシーコンテンツに設定されている一時閲覧コンテンツが表示される場合には、そのコンテンツ内にプライバシー設定解除ボタンを表示させて、ユーザがそのボタンをタップすることによりプライバシー設定を解除できるようにしてもよい。
【００５５】
また、表示されている一時閲覧コンテンツの表示時間を延長する指示が、ユーザからタッチパネル５３を通じて入力された場合には（ステップＳ１１２でＹＥＳ）、コンテンツ表示制御部５５は、一時閲覧コンテンツの表示時間を延長させ、処理がステップＳ１０４に戻る。図１４の一時閲覧エリア５内には、表示延長ボタン１１が表示されている。この表示延長ボタン１１を一本指でタップする（一本指でたたく）ジェスチャによって、一時閲覧エリア５内に表示されている一時閲覧コンテンツの表示時間がデフォルトの所定時間からΔｔ時間だけ延長される（ステップＳ１１３）。
【００５６】
また、一時閲覧コンテンツが表示されている時間が所定時間または所定時間を延長した時間だけ経過した場合には（ステップＳ１１４でＹＥＳ）、コンテンツ表示制御部５５は、一時閲覧コンテンツを非表示にし、処理がステップＳ１０２に戻る（ステップＳ１１５）。
【００５７】
また、一時閲覧コンテンツが表示可能な状態が終了した場合には（ステップＳ１１６でＹＥＳ）、処理が終了する。
【００５８】
以上のように、本実施の形態によればユーザが所定のジェスチャを入力することによって、ユーザが一瞬だけ閲覧を希望する一時閲覧コンテンツを表示し、所定時間経過後に自動的に一時閲覧コンテンツを非表示にすることができる。また、一時閲覧コンテンツの表示時間である所定時間を延長し、または短縮することができる。なお、表示時間を短縮することができる場合には、表示延長ボタン１１の代わりに、又は表示延長ボタン１１と共に、表示短縮ボタンを表示させてもよい。
【００５９】
また、従来では、シークレットモードで表示されたシークレット画面は、次の画面に移行するか、または非シークレットモードに移行するなどのユーザの指示が入力されなければ、非表示にされず、ユーザが周りの注意を怠ると第３者によって、シークレット画面が覗き見られる可能性があった。本実施の形態によれば、所定時間経過後に自動的に非表示にすることによって、第３者によってシークレット画面が覗き見られることを防止できる。
【００６０】
さらに、特許文献１に記載の携帯情報端末では、シークレットではないが、ユーザが一瞬だけ閲覧したい画面をユーザによる簡単な操作で表示し、消去（非表示）することができないという問題がある。
【００６１】
［第２の実施形態］
本実施の形態は、一時閲覧コンテンツを表示させるジェスチャと、一時閲覧コンテンツの表示箇所が、第１の実施形態と異なる。
【００６２】
本実施の形態では、図１５に示すように、コンテンツ表示制御部５５は、ユーザがタッチパネル５３の任意の箇所（図１５では矢印の箇所）を長押したことを検出すると、検出した箇所の下方の箇所に一時閲覧コンテンツを表示する。これによって、一時閲覧コンテンツは、ユーザの手のひらによって、覆い隠されるので、第３者に一時閲覧コンテンツが見られないようにすることができる。なお、コンテンツ表示制御部５５は、ユーザがタッチパネル５３の特定箇所を長押ししたことを検出した場合に、検出した箇所の下方の箇所に一時閲覧コンテンツを表示してもよい。
【００６３】
［第３の実施形態］
本実施の形態は、一時閲覧コンテンツの設定内容の拡張について説明する。
【００６４】
図１６は、第３の実施形態の一時閲覧コンテンツ情報の例を表わす図である。本実施の形態の一時閲覧コンテンツ情報は、図２の一時閲覧コンテンツ情報に加えて、ジェスチャ情報を含む。
【００６５】
第１の実施形態では、一時閲覧コンテンツを表示させるためのジェスチャは１つであり、そのジェスチャが入力された場合には、優先度が「高」に設定されている一時閲覧コンテンツ（複数が「高」に設定されている場合は任意の１個の一時閲覧コンテンツ）を表示した。これに対して、本実施の形態では、一時閲覧コンテンツごとにジェスチャが設定されている。たとえば、図１６の例では、コンテンツ表示制御部５５は、待ち受け状態において、パターンＡのジェスチャが入力された場合には、ａａａ．ｉｍｇで特定される一時閲覧コンテンツを表示する。また、コンテンツ表示制御部５５は、ロック状態において、パターンＢのジェスチャが入力された場合には、ｂｂｂ．ｉｍｇで特定される一時閲覧コンテンツを表示する。
【００６６】
また、本実施の形態の一時閲覧コンテンツ情報は、一時閲覧コンテンツの拡大、縮小および移動が可能かについての情報を含む。
【００６７】
拡大、縮小および移動が可能に設定されている一時閲覧コンテンツが、図１３の一時閲覧エリア５に表示されている場合において、コンテンツ一般を拡大表示、縮小表示または移動するジェスチャと同じジェスチャが、ユーザからタッチパネル５３を通じて入力されたときには、コンテンツ表示制御部５５は、一時閲覧コンテンツを拡大表示、縮小表示、または移動させる。これに対して、拡大、縮小および移動が可能に設定されていない一時閲覧コンテンツが、図１３の一時閲覧エリア５に表示されている場合には、拡大表示、縮小表示または移動するジェスチャが入力されても、コンテンツ表示制御部５５は、一時閲覧コンテンツを拡大、縮小、移動させない。
【００６８】
上述の一時閲覧コンテンツを表示させるジェスチャの設定、一時閲覧コンテンツの拡大、縮小および移動が可能かについての設定は、図４における一時閲覧コンテンツの設定手順において、一時閲覧設定部５９によって、一時閲覧コンテンツの表示可能な動作状態の設定、一時閲覧コンテンツの優先度の設定とともに実行される。また、パターンＡのジェスチャおよびパターンＢのジェスチャは、ジェスチャ記憶部５６に記憶される。
【００６９】
なお、これまで説明した実施の形態において、一時閲覧コンテンツ５が液晶ディスプレイ５２に表示される場合の表示画面全体における一時閲覧コンテンツ５の大きさは、ユーザによって適宜設定可能であってよい。
【００７０】
また、表示部は、液晶ディスプレイに限られず、有機ＥＬディスプレイなど、他のディスプレイから構成されてもよい。
【００７１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７２】
１  発呼ボタン、２  表示ボタン、３  送信ボタン、５  一時閲覧エリア、６  一時閲覧コンテンツリスト、５１  表示装置、５２  液晶ディスプレイ、５３  タッチパネル、５４  プライバシー設定部、５５  コンテンツ表示制御部、５６  ジェスチャ記憶部、５７  一時閲覧コンテンツ情報記憶部、５８  コンテンツ記憶部、５９  一時閲覧設定部、６０  無線通信部、６１  赤外線通信部。
【図１】
2015070303.tif 000003
【図２】
2015070303.tif 000004
【図３】
2015070303.tif 000005
【図４】
2015070303.tif 000006
【図５】
2015070303.tif 000007
【図６】
2015070303.tif 000008
【図７】
2015070303.tif 000009
【図８】
2015070303.tif 000010
【図９】
2015070303.tif 000011
【図１０】
2015070303.tif 000012
【図１１】
2015070303.tif 000013
【図１２】
2015070303.tif 000014
【図１３】
2015070303.tif 000015
【図１４】
2015070303.tif 000016
【図１５】
2015070303.tif 000017
【図１６】
2015070303.tif 000018